(57)【特許請求の範囲】
【請求項１】
下記のコーナー部（２）と、立杭部（３、３．．）と、金網（４）と、支持材部（５）から構成されていることを特徴とする低コスト耐雪害防鹿柵。
コーナー部（２）は、鹿などの野獣の侵入を防止したい場所の土地に打ち込まれた左右のコーナー柱（２Ａ）と、各コーナー柱に取付けられたグランドアンカー部（２Ｂ）と、控え柱部（２Ｃ）から構成されていること。
立杭部（３）は、左右のコーナー部（２、２）間の土地に所定間隔をもって打ち込まれた立杭（３Ａ、３Ａ．．）と、各立杭に取付けられた沈下防止具（３Ｂ）から構成されていること。
金網（４）は、縦横格子状に構成され、上記立杭間には高さ約２ｍ程度の位置まで縦横格子状の金網を張り、立杭（３Ａ、３Ａ．．）にフックボルト（４Ａ）で固定すること。
支持材部（５）は、立杭と立杭の間に所定間隔をもって配された支持材（５Ａ、５Ａ．．）と、支持材に取付けられた沈下防止具（５Ｂ）から構成され、支持材は地表から金網上端に達するような長さを有しており、地表にその下端部を置き、上端部及びそれ以外２ケ所の位置で金網を固定すること。
【請求項２】
下記のコーナー部（２）と、立杭部（３、３．．）と、金網（４）と、支持材部（５）から構成されていることを特徴とする低コスト耐雪害防鹿柵。
コーナー部（２）は、鹿などの野獣の侵入を防止したい場所の土地に打ち込まれた左右のコーナー柱（２Ａ）と、各コーナー柱に取付けられたグランドアンカー部（２Ｂ）と、控え柱部（２Ｃ）から構成され、コーナー柱（２Ａ）は、鋼製で丸パイプ、角パイプ、又は、Ｃ型鋼を用い、土地に打ち込んだ後の地上高が約２ｍになるように構成され、グランドアンカー部（２Ｂ）は、前後方向のグランドアンカー（２Ｂ１）と、左右方向のグランドアンカー（２Ｂ２）から構成され、前後方向のグランドアンカー（２Ｂ１）は、コーナー柱の地際の部分に遊嵌された係止リング（２Ｂ１１）と、この係止リングを通して斜め下方に地中に打ち込まれたアンカー（２Ｂ１２）から構成され、左右方向のグランドアンカー（２Ｂ２）は、コーナー柱の地際の部分に遊嵌された係止リング（２Ｂ２１）と、この係止リングを通して斜め下方に地中に打ち込まれたアンカー（２Ｂ２２）から構成され、控え柱部（２Ｃ）は、コーナー柱の上下方向における中間部に取付けられた支持金具（２Ｃ１）と、この支持金具と水平方向の上ボルト（２Ｃ２）で連結された斜めの控え柱（２Ｃ３）と、控え柱の下端に上ボルトと平行な下ボルト（２Ｃ４）で連結された縦アンカー（２Ｃ５）と、縦アンカーに取付けられた沈下防止具（２Ｃ６）から構成され、沈下防止具（２Ｃ６）は、Ｕ字ボルト（２Ｃ６１）と、ナット（２Ｃ６２）と、アングル状の沈下防止枠（２Ｃ６３）からなり、沈下防止枠（２Ｃ６３）は、水平片と垂直片が直角に連結され、垂直片にはＵ字ボルトの端を通すためにＵ字ボルトの幅とボルト径に対応した穴があけられ、縦アンカーを打ち込んだ後、地表位置となる場所で当該縦アンカーをＵ字ボルトで抱えて、Ｕ字ボルト端に垂直片を通してナットで止め固定すること。
立杭部（３）は、左右のコーナー部（２、２）間の土地に所定間隔をもって打ち込まれた立杭（３Ａ、３Ａ．．）と、各立杭に取付けられた沈下防止具（３Ｂ）から構成され、この立杭は、鋼製で丸パイプ、角パイプ、又は、Ｃ型鋼を用い、土地に打ち込んだ後の地上高が約２ｍになるように構成され、沈下防止具（３Ｂ）は、Ｕ字ボルト（３Ｂ１）と、ナット（３Ｂ２）と、アングル状の沈下防止枠（３Ｂ３）からなり、沈下防止枠（３Ｂ３）は、水平片と垂直片が直角に連結され、垂直片にはＵ字ボルトの端を通すためにＵ字ボルトの幅とボルト径に対応した穴があけられ、立杭を打ち込んだ後、地表位置となる場所で当該立杭をＵ字ボルトで抱えて、Ｕ字ボルト端に垂直片を通してナットで止め固定すること。
金網（４）は、縦横格子状に構成され、上記立杭間には高さ約２ｍ程度の位置まで縦横格子状の金網を張り、立杭（３Ａ、３Ａ．．）にフックボルト（４Ａ）で固定すること。
支持材部（５）は、立杭と立杭の間に所定間隔をもって配された支持材（５Ａ、５Ａ．．）と、支持材に取付けられた沈下防止具（５Ｂ）から構成され、この支持材も鋼製で、地表に接地し打ち込まないで構成され、沈下防止具（５Ｂ）は、Ｕ字ボルト（５Ｂ１）と、ナット（５Ｂ２）と、アングル状の沈下防止枠（５Ｂ３）からなり、沈下防止枠（５Ｂ３）は、水平片と垂直片が直角に連結され、垂直片にはＵ字ボルトの端を通すためにＵ字ボルトの幅とボルト径に対応した穴があけられ、支持材を打ち込んだ後、地表位置となる場所で当該支持材をＵ字ボルトで抱えて、Ｕ字ボルト端に垂直片を通してナットで止め固定し、支持材は地表から金網上端に達するような長さを有しており、地表にその下端部を置き、上端部及びそれ以外２ケ所の位置でフックボルト（４Ａ）で金網を固定すること。
【発明の詳細な説明】
【０００１】
【発明の属する技術分野】
本発明は、鹿などの野獣が農地に侵入して農作物に被害を与えるのを防ぐための低コスト耐雪害防鹿柵に関する。
【０００２】
【従来の技術】
従来の野獣被害防止柵は、下記のような構成となっている。
鹿の被害を防ぐ目的で施設されている柵は、太い木製の立杭を５〜７．５ｍ間隔に打ち込み、これに２ｍ程度の高さの金網を張っていた。
【０００３】
【発明が解決しようとする課題】
従来の技術で述べたものにあっては、下記のような問題点を有していた。
１．こうした柵は大掛かりな施設となり、かなりの投資を必要とした。
２．投資を抑えるには、木製にかえて鋼製の立杭利用が考えられるが、鋼製の立杭を利用した場合は、積雪荷重により立杭の沈下が起こり、それにより金網の弛みが発生し、雪が溶けたあとでも弛るんだ状態の癖が元に戻らず、積雪地帯では十分な効果が得られなかった。
【０００４】
本発明は、従来の技術の有するこのような問題点に鑑みなされたものであり、その目的とするところは、下記のようにすることのできるものを提供しようとするものである。
１．本発明は、立杭の材料を従来の木製から鋼製に変えることと、支持材（２．５〜３．７５ｍに１本）の利用により立杭の設置間隔を従来の５〜７．５ｍから７．５〜１２ｍに大幅に広げることにより、全体の投資金額が大幅に削減すると共に、支持材の利用により実質柱間隔が広がらず、立杭や支持材の沈下防止手段により立杭の沈下などが起こらないので、金網の弛みも防止でき柵の効果が十分発揮できる。
２．本発明は積雪地帯において設置費用を大幅に削減しながら、同時に積雪荷重による金網の弛みを起こさせないようにしようとするものである。
【０００５】
【課題を解決するための手段】
上記目的を達成するために、本発明は下記のようになるものである。
すなわち、請求項１記載の発明は、下記のコーナー部２と、立杭部３、３．．と、金網４と、支持材部５から構成されていることを特徴とするものである。
Ａ．コーナー部２は、鹿などの野獣の侵入を防止したい場所の土地に打ち込まれた左右のコーナー柱２Ａと、各コーナー柱に取付けられたグランドアンカー部２Ｂと、控え柱部２Ｃから構成されていること。
Ｂ．立杭部３は、左右のコーナー部２、２間の土地に所定間隔をもって打ち込まれた立杭３Ａ、３Ａ．．と、各立杭に取付けられた沈下防止具３Ｂから構成されていること。
Ｃ．金網４は、縦横格子状に構成され、上記立杭間には高さ約２ｍ程度の位置まで縦横格子状の金網を張り、立杭３Ａ、３Ａ．．にフックボルト４Ａなどで固定すること。
Ｄ．支持材部５は、立杭と立杭の間に所定間隔をもって配された支持材５Ａ、５Ａ．．と、支持材に取付けられた沈下防止具５Ｂから構成され、支持材は地表から金網上端に達するような長さを有しており、地表にその下端部を置き、上端部及びそれ以外２ケ所ほどの位置で金網を固定すること。
【０００６】
請求項２記載の発明は、下記のコーナー部２と、立杭部３、３．．と、金網４と、支持材部５から構成されていることを特徴とするものである。
Ａ．コーナー部２は、鹿などの野獣の侵入を防止したい場所の土地に打ち込まれた左右のコーナー柱２Ａと、各コーナー柱に取付けられたグランドアンカー部２Ｂと、控え柱部２Ｃから構成され、コーナー柱２Ａは、鋼製で丸パイプ、角パイプ、又は、Ｃ型鋼などを用い、土地に打ち込んだ後の地上高が約２ｍになるように構成され、グランドアンカー部２Ｂは、前後方向のグランドアンカー２Ｂ１と、左右方向のグランドアンカー２Ｂ２から構成され、前後方向のグランドアンカー２Ｂ１は、コーナー柱の地際の部分に遊嵌された係止リング２Ｂ１１と、この係止リングを通して斜め下方に地中に打ち込まれたアンカー２Ｂ１２から構成され、左右方向のグランドアンカー２Ｂ２は、コーナー柱の地際の部分に遊嵌された係止リング２Ｂ２１と、この係止リングを通して斜め下方に地中に打ち込まれたアンカー２Ｂ２２から構成され、控え柱部２Ｃは、コーナー柱の上下方向における中間部に取付けられた支持金具２Ｃ１と、この支持金具と水平方向の上ボルト２Ｃ２で連結された斜めの控え柱２Ｃ３と、控え柱の下端に上ボルトと平行な下ボルト２Ｃ４で連結された縦アンカー２Ｃ５と、縦アンカーに取付けられた沈下防止具２Ｃ６から構成され、沈下防止具２Ｃ６は、Ｕ字ボルト２Ｃ６１と、ナット２Ｃ６２と、アングル状の沈下防止枠２Ｃ６３からなり、沈下防止枠２Ｃ６３は、水平片と垂直片が直角に連結され、垂直片にはＵ字ボルトの端を通すためにＵ字ボルトの幅とボルト径に対応した穴があけられ、縦アンカーを打ち込んだ後、地表位置となる場所で当該縦アンカーをＵ字ボルトで抱えて、Ｕ字ボルト端に垂直片を通してナットで止め固定すること。
Ｂ．立杭部３は、左右のコーナー部２、２間の土地に所定間隔をもって打ち込まれた立杭３Ａ、３Ａ．．と、各立杭に取付けられた沈下防止具３Ｂから構成され、この立杭は、鋼製で丸パイプ、角パイプ、又は、Ｃ型鋼などを用い、土地に打ち込んだ後の地上高が約２ｍになるように構成され、沈下防止具３Ｂは、Ｕ字ボルト３Ｂ１と、ナット３Ｂ２と、アングル状の沈下防止枠３Ｂ３からなり、沈下防止枠３Ｂ３は、水平片と垂直片が直角に連結され、垂直片にはＵ字ボルトの端を通すためにＵ字ボルトの幅とボルト径に対応した穴があけられ、立杭を打ち込んだ後、地表位置となる場所で当該立杭をＵ字ボルトで抱えて、Ｕ字ボルト端に垂直片を通してナットで止め固定すること。
Ｃ．金網４は、縦横格子状に構成され、上記立杭間には高さ約２ｍ程度の位置まで縦横格子状の金網を張り、立杭３Ａ、３Ａ．．にフックボルト４Ａなどで固定すること。
Ｄ．支持材部５は、立杭と立杭の間に所定間隔をもって配された支持材５Ａ、５Ａ．．と、支持材に取付けられた沈下防止具５Ｂから構成され、この支持材も鋼製で、地表に接地し打ち込まないで構成され、沈下防止具５Ｂは、Ｕ字ボルト５Ｂ１と、ナット５Ｂ２と、アングル状の沈下防止枠５Ｂ３からなり、沈下防止枠５Ｂ３は、水平片と垂直片が直角に連結され、垂直片にはＵ字ボルトの端を通すためにＵ字ボルトの幅とボルト径に対応した穴があけられ、支持材を打ち込んだ後、地表位置となる場所で当該支持材をＵ字ボルトで抱えて、Ｕ字ボルト端に垂直片を通してナットで止め固定し、支持材は地表から金網上端に達するような長さを有しており、地表にその下端部を置き、上端部及びそれ以外２ケ所ほどの位置でフックボルト４Ａなどで金網を固定すること。
【０００７】
【発明の実施の形態】
以下、本発明の実施の形態を実施例にもとづき図面を参照して説明する。
１は本発明の低コスト耐雪害防鹿柵で、コーナー部２と、立杭部３、３．．と、金網４と、支持材部５から構成されている。
【０００８】
Ａ．コーナー部２は、鹿などの野獣の侵入を防止したい場所の土地に打ち込まれた左右のコーナー柱２Ａと、各コーナー柱に取付けられたグランドアンカー部２Ｂと、控え柱部２Ｃから構成されている。
ａ．コーナー柱２Ａは、鋼製で丸パイプ、角パイプ、又は、Ｃ型鋼などを用い、土地に打ち込んだ後の地上高が約２ｍになるように構成されている。
ｂ．グランドアンカー部２Ｂは、前後方向のグランドアンカー２Ｂ１と、左右方向のグランドアンカー２Ｂ２から構成され、前後方向のグランドアンカー２Ｂ１は、コーナー柱の地際の部分に遊嵌された係止リング２Ｂ１１と、この係止リングを通して斜め下方に地中に打ち込まれたアンカー２Ｂ１２から構成され、左右方向のグランドアンカー２Ｂ２は、コーナー柱の地際の部分に遊嵌された係止リング２Ｂ２１と、この係止リングを通して斜め下方に地中に打ち込まれたアンカー２Ｂ２２から構成されている。
このグランドアンカー部によりコーナー柱の沈下を防止し、安定的な立設状態を得ることができる。
【０００９】
ｃ．控え柱部２Ｃは、コーナー柱の上下方向における中間部に取付けられた支持金具２Ｃ１と、この支持金具と水平方向の上ボルト２Ｃ２で連結された斜めの控え柱２Ｃ３と、控え柱の下端に上ボルトと平行な下ボルト２Ｃ４で連結された縦アンカー２Ｃ５と、縦アンカーに取付けられた沈下防止具２Ｃ６から構成されている。
この場合、沈下防止具２Ｃ６は、Ｕ字ボルト２Ｃ６１と、ナット２Ｃ６２と、アングル状の沈下防止枠２Ｃ６３からなる。
沈下防止枠２Ｃ６３は、水平片と垂直片が直角に連結され、垂直片にはＵ字ボルトの端を通すためにＵ字ボルトの幅とボルト径に対応した穴があけられ、縦アンカーを打ち込んだ後、地表位置となる場所で当該縦アンカーをＵ字ボルトで抱えて、Ｕ字ボルト端に垂直片を通してナットで止め固定する。
【００１０】
Ｂ．立杭部３は、左右のコーナー部２、２間の土地に所定間隔をもって打ち込まれた立杭３Ａ、３Ａ．．と、各立杭に取付けられた沈下防止具３Ｂから構成されている。
ａ．この立杭は、鋼製で丸パイプ、角パイプ、又は、Ｃ型鋼などを用い、土地に打ち込んだ後の地上高が約２ｍになるように構成されている。
ｂ．立杭と立杭の間隔は、約７．５〜１２ｍ程度である。
ｃ．沈下防止具３Ｂは、Ｕ字ボルト３Ｂ１と、ナット３Ｂ２と、アングル状の沈下防止枠３Ｂ３からなる。
沈下防止枠３Ｂ３は、水平片と垂直片が直角に連結され、垂直片にはＵ字ボルトの端を通すためにＵ字ボルトの幅とボルト径に対応した穴があけられ、立杭を打ち込んだ後、地表位置となる場所で当該立杭をＵ字ボルトで抱えて、Ｕ字ボルト端に垂直片を通してナットで止め固定する。
【００１１】
Ｃ．金網４は、縦横格子状に構成され、上記立杭間には高さ約２ｍ程度の位置まで縦横格子状の金網を張り、立杭３Ａ、３Ａ．．にフックボルト４Ａなどで固定する。
金網４の高さは、約２ｍ程度に構成されている。
【００１２】
Ｄ．支持材部５は、立杭と立杭の間に所定間隔をもって配された支持材５Ａ、５Ａ．．と、支持材に取付けられた沈下防止具５Ｂから構成されている。
ａ．立杭と立杭の間隔が７．５ｍなら１本、１２ｍなら３本配置する。
ただし、積雪量により調整することもできる。
ｂ．この支持材も鋼製であるが、地表に接地し打ち込まないので、立杭ほど丈夫なものでなくてよい。
ｃ．沈下防止具５Ｂは、Ｕ字ボルト５Ｂ１と、ナット５Ｂ２と、アングル状の沈下防止枠５Ｂ３からなる。
沈下防止枠５Ｂ３は、水平片と垂直片が直角に連結され、垂直片にはＵ字ボルトの端を通すためにＵ字ボルトの幅とボルト径に対応した穴があけられ、支持材を打ち込んだ後、地表位置となる場所で当該支持材をＵ字ボルトで抱えて、Ｕ字ボルト端に垂直片を通してナットで止め固定する。
支持材は地表から金網上端に達するような長さを有しており、地表にその下端部を置き、上端部及びそれ以外２ケ所ほどの位置でフックボルト４Ａなどで金網を固定する。
【００１３】
【実施例】
さらに、以下のような条件で実験した結果、極めて良好な結果が得られた。
フックボルトなどで金網を立杭に直接固定するのではなく、図１５ないし図１７のようにフックボルト４Ａなどで丸棒６を固定し、この丸棒６と立杭３Ａの間に、金網４を挟み込んで固定する方法もとることができる。
単に金網をフックボルトで固定し、かつ全ての金網の横線をフックボルトで固定していない場合は、設置場所に上下の起伏や左右のコーナーがあると、金網を引っ張った時に、横線が本来あるべき位置より引っ張り方向へずれたり、立杭部から引っ張り方向へ離れてしまったりする可能性がある。
図１５ないし図１７のように固定すると、金網の上端から下端までが丸棒によりしっかり立杭に密着固定されるので、金網が引っ張られても位置がずれたり、立杭から離れてしまうことがなく柵全体の強度が高められる。
【００１４】
【発明の効果】
本発明は、上述の通り構成されているので次に記載する効果を奏する。
１．木柵は十分な強度を持たせるには太さが必要であり、結果的に太い立杭を利用するため柱の沈下を考慮する必要がなかった。
しかし、本発明のように、鋼製の立杭を利用することにより設置費は大幅に安価となるが、鋼製の立杭は積雪荷重による沈下が避けられる。
２．立杭が沈下すると金網が弛みやすくなり、一度弛むと融雪後も弛みは元に戻らず、防止柵の効果が得られないようになる。
そのため一般的に鋼製の立杭は用いられず、もっぱら木製の立杭が用いられてきた。
しかし、本発明では立杭にＵ字ボルトとアングル状の沈下防止枠からなる沈下防止手段を形成しており、鋼製であっても立杭の沈下が起こらず、安価な鋼製の立杭の利用が可能になった。
３．さらに、この沈下防止手段は柱に穴をあけずにＵ字ボルトで、止めるので立杭のどの場所にも止められる。
地形・地質によっては十分な打ち込みができない場所もあるが、その場合でも地表に固定場所を変更して利用することができる。
【００１５】
４．また、支持材を利用することにより立杭の設置間隔を従来の５〜７．５ｍから７．５〜１２ｍに大幅に広げることができた。
５．鋼製の立杭の採用と、支持材による立杭の設置間隔が広がり大幅な設置費の削減が図れるが、それによって柵としての強度が損なわれるわけではなく、積雪荷重にも十分に耐えられ、柵としての十分な効果が得られる。
６．また、木製の立杭は太いために機械打ち込みとなるが、山中では機械が入れないところもある。
しかし、鋼製の立杭の場合は人手での打ち込みが可能なため、山中での施工も可能である。
７．このほか、安価に製造できる、部品点数が少ないので組立が容易である、経済的である、などの効果をも有するものである。
【図面の簡単な説明】
【図１】要部の拡大正面図である。
【図２】Ａ−Ａ線拡大断面図である。
【図３】グランドアンカー部を説明する拡大横断面図である。
【図４】前後方向のグランドアンカーを説明する拡大横断面図である。
【図５】Ｂ−Ｂ線拡大端面図である。
【図６】同上の左側面図である。
【図７】立杭部、金網、支持材部の関係を説明する要部拡大正面図である。
【図８】Ｃ−Ｃ線拡大断面図である。
【図９】Ｄ−Ｄ線拡大断面図である。
【図１０】支持材部の下端部分の左側面図である。
【図１１】立杭部への金網の固定状態を説明する拡大横断面図である。
【図１２】同上の左側面図である。
【図１３】支持材部への金網の固定状態を説明する拡大横断面図である。
【図１４】同上の左側面図である。
【図１５】金網の立杭への固定状態の他の実施例を示す要部の正面図である。
【図１６】同上の左側面図である。
【図１７】図１５における拡大横断面図である。
【符号の説明】
１  低コスト耐雪害防鹿柵
２  コーナー部
３  立杭部
４  金網
５  支持材部
【図１】
0003592631.tif 000002
【図２】
0003592631.tif 000003
【図３】
0003592631.tif 000004
【図４】
0003592631.tif 000005
【図５】
0003592631.tif 000006
【図６】
0003592631.tif 000007
【図７】
0003592631.tif 000008
【図８】
0003592631.tif 000009
【図９】
0003592631.tif 000010
【図１０】
0003592631.tif 000011
【図１１】
0003592631.tif 000012
【図１２】
0003592631.tif 000013
【図１３】
0003592631.tif 000014
【図１４】
0003592631.tif 000015
【図１５】
0003592631.tif 000016
【図１６】
0003592631.tif 000017
【図１７】
0003592631.tif 000018